(57)【特許請求の範囲】
【請求項１】
棚材を固定するための棚材固定具であって、
前記棚材を固定する面に当接される当接部と、
前記当接部における前記棚材を固定する面とは反対側に傾斜して延出された、
前記棚材を固定する際に前記棚材に挿入され、前記棚材における所定位置まで挿入されたときに挿入完了感を生じさせる挿入完了感起生部と、
を有し、
前記挿入完了感起生部が補強リブを有することを特徴とする棚材固定具。
【請求項２】
前記挿入完了感起生部が生じさせる挿入完了感が、クリック感である、請求項１に記載の棚材固定具。
【請求項３】
前記挿入完了感起生部における前記棚材を固定する面と対向して、前記棚材と係合可能な係合部を有する、請求項１から２のいずれかに記載の棚材固定具。
【請求項４】
前記挿入完了感起生部が前記係合部とは反対側に前記補強リブを有する、請求項３に記載の棚材固定具。
【請求項５】
前記棚材を固定する面が壁面である、請求項１から４のいずれかに記載の棚材固定具。
【請求項６】
前記棚材固定具の材質が樹脂であり、
前記樹脂が耐衝撃性ポリスチレン樹脂である、請求項１から５のいずれかに記載の棚材固定具。
【請求項７】
前記当接部が固定部材により貫通されて前記棚材を固定する面に前記棚材を固定するための貫通孔を有し、前記固定部材がピン又はネジであり、
前記固定部材としてピンを用い、隣接して設けられた複数の貫通孔に前記ピンが互いに交差するように刺し込まれる、請求項１から６のいずれかに記載の棚材固定具。
【請求項８】
前記棚材が、板状棚材、略Ｌ字状棚材、コーナー棚材、ボックス状棚材、フレーム状棚材、ポケット付き棚材、フック付き棚材、トレイ付き棚材、及び鏡付き棚材の少なくともいずれかである、請求項１から７のいずれかに記載の棚材固定具。
【請求項９】
請求項１から８のいずれかに記載の棚材固定具と、
棚材を固定する面に前記棚材固定具を固定するための固定部材と、
前記固定部材を脱着する際に使用する脱着工具と、
取扱説明書と、
を有することを特徴とする棚材固定セット。
【請求項１０】
前記取扱説明書が前記棚材固定具と棚材の位置決めに用いられる取付用ガイドシートを含む、請求項９に記載の棚材固定セット。
【請求項１１】
請求項１から８のいずれかに記載の棚材固定具、又は請求項９から１０のいずれかに記載の棚材固定セットを用いることによって、棚材が棚材を固定する面に固定されてなることを特徴とする棚。
【発明の詳細な説明】
【技術分野】
【０００１】
本発明は、棚材固定具、棚材固定セット、及び棚に関する。
【背景技術】
【０００２】
従来より、壁面等の所望の箇所に棚材を取り付ける棚材固定具としては種々のものが提案されている。例えば、図１Ａ及び図１Ｂに示すような、壁面に棚類を体裁よく安定して密着保持できる棚材固定具７１が提案されている（例えば、特許文献１参照）。
【０００３】
このような棚材固定具７１は、鋼鉄製の板材にプレス加工を施すことにより成形された矩形の板状の固定具である。棚材固定具７１は、中央部を前傾斜片７７として形成し、その両側の残りをそのままに垂直なサイド起立片７９，７９として形成される。前傾斜片７７は、その幅中央には、Ｕ字形の反転スリット８０を設けることにより、残ったその中が下向きの弾性舌片８１として下向きに形成される。この弾性舌片８１の下方先端部には、ポンチによる打出しにより後ろ面になだらかな傾斜に隆起した突部８３が設けられている。弾性舌片８１の弾性を伴って突部８３が棚材に設けられた係合穴から脱出しないように掛かることによりロック機構が働くものである。なお、図１Ａ中７５は解放溝、７８ａは下段屈折、７８ｂは上段屈折、８７はビスを通す縦溝、９１は固定ビスを通す丸穴をそれぞれ示す。
【０００４】
しかしながら、前記提案の棚材固定具７１の前傾斜片７７及び弾性舌片８１は可撓性を有しない鋼鉄製であると共に、突部８３が前傾斜片７７の先端部ではなく弾性舌片８１の下方先端部に設けられており、前傾斜片７７を棚材における所定位置まで挿入しても挿入完了感（クリック感）が得られないため、棚材が棚材固定具に正確に取り付けられたことを認識できないので、取付作業に不慣れなユーザーにとって取付作業を行うことが困難である。このことに加えて、棚材を棚材固定具に取り付ける際に棚材固定具全体が棚材によって隠れてしまうので、取付作業に不慣れなユーザーにとって棚材を棚材固定具に正確に取り付けることが更に困難となる。また、取付作業に不慣れなユーザーが、棚材が棚材固定具に正確に取り付けられたことを確認できていない状態で取付作業を行うと、棚材が棚材固定具に正確に取り付けできていないことがあり、取付後に棚材にガタツキが生じたり、使用中に棚材が脱落してしまうという問題がある。
【先行技術文献】
【特許文献】
【０００５】
【特許文献１】特開２０１４−５６２４号公報
【発明の概要】
【発明が解決しようとする課題】
【０００６】
本発明は、従来における前記諸問題を解決し、以下の目的を達成することを課題とする。即ち、本発明は、棚材が棚材固定具に正確に取り付けられたことをユーザーが確認しながら取付作業を行うことができると共に、棚材のガタツキ及び棚材の脱落を防止でき、安心性、取付性、及び安全性に優れた棚材固定具、棚材固定セット、及び棚を提供することを目的とする。
【課題を解決するための手段】
【０００７】
前記課題を解決するための手段としては、以下の通りである。即ち、
＜１＞  棚材を固定するための棚材固定具であって、前記棚材を固定する面に当接される当接部と、前記当接部から延出して形成されてなり、前記棚材を固定する際に前記棚材に挿入され、前記棚材における所定位置まで挿入されたときに挿入完了感を生じさせる挿入完了感起生部と、を有することを特徴とする棚材固定具である。
前記＜１＞に記載の棚材固定具は、当接部と、挿入完了感起生部とを有する。前記挿入完了感起生部を有しているので、棚材を固定する際に前記棚材に挿入され、前記棚材における所定位置まで挿入されたときに挿入完了感を生じさせることができる。その結果、棚材が棚材固定具に正確に取り付けられたことをユーザーが確認（認識）しながら取付作業を行うことができると共に、棚材のガタツキ及び棚材の脱落を防止でき、安心性、取付性、及び安全性に優れた棚材固定具を提供することができる。
【０００８】
＜２＞  前記挿入完了感起生部が生じさせる挿入完了感が、クリック感である、前記＜１＞に記載の棚材固定具である。
前記＜１＞に記載の棚材固定具は、前記挿入完了感起生部が生じさせる挿入完了感が、クリック感であることによって、ユーザーがクリック感を認識することによって挿入が完了（棚材を正確な位置に取付完了）したことを確実に認識することができるので、安心してスムーズに取付作業を行うことができる。
【０００９】
＜３＞  前記挿入完了感起生部が前記当接部側とは反対側の先端部に、前記棚材と係合可能な係合部を有する、前記＜１＞から＜２＞のいずれかに記載の棚材固定具である。
前記＜３＞に記載の棚材固定具は、前記挿入完了感起生部が、前記当接部側とは反対側の先端部に、前記棚材と係合可能な係合部を有することによって、棚材に挿入完了感起生部を挿入し、前記棚材における所定位置まで挿入したときに、挿入完了感起生部の先端部の係合部が棚材と係合して、挿入完了感（クリック感）を生じさせることができる。
【００１０】
＜４＞  前記挿入完了感起生部が可撓性である、前記＜１＞から＜３＞のいずれかに記載の棚材固定具である。
前記＜４＞に記載の棚材固定具は、前記挿入完了感起生部が可撓性であることによって、挿入完了感起生部の先端部の係合部が棚材と係合したときに、可撓性を有する挿入完了感起生部が撓むことによって、挿入完了感（クリック感）を生じさせることができる。
【００１１】
＜５＞  前記棚材を固定する面が壁面である、前記＜１＞から＜４＞のいずれかに記載の棚材固定具である。
前記＜５＞に記載の棚材固定具は、前記棚材を固定する面が、壁面であることによって、棚材のガタツキ及び棚材の脱落を防止でき、安心性、取付性、及び安全性に優れた状態で壁面に棚を取り付けることができる。
【００１２】
＜６＞  前記棚材固定具の材質が樹脂であり、前記樹脂が耐衝撃性ポリスチレン樹脂である、前記＜１＞から＜５＞のいずれかに記載の棚材固定具である。
前記＜６＞に記載の棚材固定具は、前記棚材固定具の材質が樹脂であり、前記樹脂として耐衝撃性ポリスチレン樹脂を用いることによって、特に、前記挿入完了感起生部に可撓性を付与することができ、前記挿入完了感起生部の先端部の係合部が棚材と係合した際に、前記挿入完了感起生部が撓むことによって、挿入完了感（クリック感）を生じさせることができる。
【００１３】
＜７＞  前記当接部が固定部材により貫通されて前記棚材を固定する面に前記棚材を固定するための貫通孔を有し、前記固定部材がピン又はネジであり、前記固定部材としてピンを用い、隣接して設けられた複数の貫通孔に前記ピンが互いに交差するように刺し込まれる、前記＜１＞から＜６＞のいずれかに記載の棚材固定具である。
前記＜７＞に記載の棚材固定具は、固定部材により貫通されて前記棚材を固定する面に前記棚材を固定するための貫通孔を有し、前記固定部材としてピン又はネジを用いることができ、前記固定部材がピンの場合には、壁に傷が付きにくく、隣接して設けられた複数の貫通孔に前記ピンを互いに交差するように刺し込むことによって、棚材を固定する面に棚材固定具を強固に固定することができる。
【００１４】
＜８＞  前記棚材が、板状棚材、略Ｌ字状棚材、コーナー棚材、ボックス状棚材、フレーム状棚材、ポケット付き棚材、フック付き棚材、トレイ付き棚材、及び鏡付き棚材の少なくともいずれかである、前記＜１＞から＜７＞のいずれかに記載の棚材固定具である。
【００１５】
＜９＞  前記＜１＞から＜８＞のいずれかに記載の棚材固定具と、棚材を固定する面に前記棚材固定具を固定するための固定部材と、前記固定部材を脱着する際に使用する脱着工具と、取扱説明書と、を有することを特徴とする棚材固定セットである。
前記＜９＞に記載の棚材固定セットは、本発明の棚材固定具と、棚材を固定する面に前記棚材固定具を固定するための固定部材と、前記固定部材を脱着する際に使用する脱着工具と、取扱説明書と、を有しているので、取付作業に不慣れなユーザーにおいて、取付性及び利便性が大幅に向上する。
【００１６】
＜１０＞  前記取扱説明書が前記棚材固定具と棚材の位置決めに用いられる取付用ガイドシートを含む、前記＜９＞に記載の棚材固定セットである。
前記＜１０＞に記載の棚材固定セットは、取扱説明書が、前記棚材固定具と棚材の位置決めに用いられる取付用ガイドシートを含んでいるので、取付作業に不慣れなユーザーであっても、棚材固定具及び棚材の位置決めを容易に行うことができ、取付性及び利便性が大幅に向上する。
【００１７】
＜１１＞  前記＜１＞から＜８＞のいずれかに記載の棚材固定具、又は前記＜９＞から＜１０＞のいずれかに記載の棚材固定セットを用いることによって、棚材が棚材を固定する面に固定されてなることを特徴とする棚である。
前記＜１１＞に記載の棚は、壁等の棚材を固定する面に一体的に取り付けることができる取扱性、安定性、密着性、安全性、外観性、デザイン性、及び意匠性に優れ、例えば、板状棚材、略Ｌ字状棚材、コーナー棚材、ボックス状棚材、フレーム状棚材、ポケット付き棚材、フック付き棚材、トレイ付き棚材、又は鏡付き棚材などに好適に用いられる。
【発明の効果】
【００１８】
本発明によると、従来における前記諸問題を解決し、前記目的を達成することができ、棚材が棚材固定具に正確に取り付けられたことをユーザーが確認しながら取付作業を行うことができると共に、棚材のガタツキ及び棚材の脱落を防止でき、安心性、取付性、及び安全性に優れた棚材固定具、棚材固定セット、及び棚を提供することができる。
【図面の簡単な説明】
【００１９】
【図１Ａ】図１Ａは、従来の棚材固定具の一例を示す正面図である。
【図１Ｂ】図１Ｂは、従来の棚材固定具の一例を示す側面図である。
【図２Ａ】図２Ａは、本発明の棚材固定具の一例を示す正面図である。
【図２Ｂ】図２Ｂは、本発明の棚材固定具の一例を示す背面図である。
【図２Ｃ】図２Ｃは、本発明の棚材固定具の一例を示す平面図である。
【図２Ｄ】図２Ｄは、本発明の棚材固定具の一例を示す底面図である。
【図２Ｅ】図２Ｅは、本発明の棚材固定具の一例を示す右側面図である。
【図２Ｆ】図２Ｆは、本発明の棚材固定具の一例を示す左側面図である。
【図３Ａ】図３Ａは、棚材を固定する面に棚材固定具を固定する方法を示し、棚材固定具の中央下のピン貫通孔にピンを突き刺す状態を示す斜視図である。
【図３Ｂ】図３Ｂは、棚材を固定する面に棚材固定具を固定する方法を示し、棚材固定具の左側上のピン貫通孔にピンを刺し込む状態を示す斜視図である。
【図３Ｃ】図３Ｃは、棚材を固定する面に棚材固定具を固定する方法を示し、棚材固定具の左側下のピン貫通孔にピンを刺し込む状態を示す斜視図である。
【図３Ｄ】図３Ｄは、棚材を固定する面に棚材固定具を固定する方法を示し、すべてのピン貫通孔にピンを刺し込んだ状態を示す斜視図である。
【図４】図４は、棚材固定具にトレイ付き棚材を取り付ける様子を示す斜視図である。
【図５Ａ】図５Ａは、図４において棚材を取り付ける前の棚材固定具の一例を示す斜視図である。
【図５Ｂ】図５Ｂは、棚材の受け部に棚材固定具の挿入完了感起生部を挿入した状態を示す斜視図である。
【図５Ｃ】図５Ｃは、棚材固定具の一例を示す拡大背面図である。
【図５Ｄ】図５Ｄは、棚材の受け部の一例を示す拡大斜視図である。
【図６Ａ】図６Ａは、棚材の受け部に棚材固定具の挿入完了感起生部を挿入する前の状態を示す概略図である。
【図６Ｂ】図６Ｂは、棚材の受け部と棚材固定具の挿入完了感起生部とが係合し、クリック感が生じた状態を示す概略図である。
【図７Ａ】図７Ａは、トレイ付き棚材の一例を示す斜視図である。
【図７Ｂ】図７Ｂは、棚材固定具を取り付ける側から見たトレイ付き棚材の一例を示す斜視図である。
【図８Ａ】図８Ａは、フック付棚材の一例を示す斜視図である。
【図８Ｂ】図８Ｂは、棚材固定具を取り付ける側から見たフック付き棚材の一例を示す斜視図である。
【図９Ａ】図９Ａは、略Ｌ字状棚材の一例を示す斜視図である。
【図９Ｂ】図９Ｂは、棚材固定具を取り付ける側から見た略Ｌ字状棚材の一例を示す斜視図である。
【図１０Ａ】図１０Ａは、ポケット付き棚材の一例を示す斜視図である。
【図１０Ｂ】図１０Ｂは、棚材固定具を取り付ける側から見たポケット付き棚材の一例を示す斜視図である。
【図１１Ａ】図１１Ａは、長さ方向に長い略Ｌ字状棚材の一例を示す斜視図である。
【図１１Ｂ】図１１Ｂは、棚材固定具を取り付ける側から見た長さ方向に長い略Ｌ字状棚材の一例を示す斜視図である。
【図１２Ａ】図１２Ａは、２つのマスを有する大型の棚材の一例を示す斜視図である。
【図１２Ｂ】図１２Ｂは、棚材固定具を取り付ける側から見た２つのマスを有する大型の棚材の一例を示す斜視図である。
【図１３Ａ】図１３Ａは、コーナー棚材の一例を示す斜視図である。
【図１３Ｂ】図１３Ｂは、棚材固定具を取り付ける側から見たコーナー棚材の一例を示す斜視図である。
【図１４】図１４は、第１の実施形態の変形例１における棚材の受け部及び棚材固定具の挿入完了感起生部の一例を示す部分拡大概略図である。
【図１５】図１５は、第１の実施形態の変形例２における棚材の受け部及び棚材固定具の挿入完了感起生部の一例を示す部分拡大概略図である。
【図１６】図１６は、第１の実施形態の変形例３における棚材固定具の一例を示す部分拡大概略図である。
【図１７】図１７は、第１の実施形態の変形例４における棚材固定具の一例を示す部分拡大概略図である。
【図１８Ａ】図１８Ａは、本発明の棚材固定セットの一例を示す正面図である。
【図１８Ｂ】図１８Ｂは、本発明の棚材固定セットの一例を示す斜視図である。
【図１９】図１９は、本発明の棚材固定セットにおけるピンの一例を示す斜視図である。
【図２０】図２０は、本発明の棚材固定セットにおける脱着工具の一例を示す斜視図である。
【図２１】図２１は、脱着工具を用いてピンをピン貫通孔に刺し込む方法を示す斜視図である。
【図２２Ａ】図２２Ａは、脱着工具を用いてピンを抜く方法を示す斜視図である（その１）。
【図２２Ｂ】図２２Ｂは、脱着工具を用いてピンを抜く方法を示す斜視図である（その２）。
【図２２Ｃ】図２２Ｃは、脱着工具を用いてピンを抜く方法を示す斜視図である（その３）。
【図２３】図２３は、本発明の棚材固定セットにおける取扱説明書の一例を示す図面である。
【発明を実施するための形態】
【００２０】
（棚材固定具）
本発明の棚材固定具は、棚材を固定するための棚材固定具であって、当接部と、挿入完了感起生部と、を有し、更に必要に応じてその他の部を有する。なお、前記棚材固定具は、「棚材取付具」、「固定具」、「取付具」又は「係止具」と称することもある。
【００２１】
本発明においては、前記棚材固定具は、棚材を固定する面に当接される当接部と、前記当接部から延出して形成されてなり、前記棚材を固定する際に前記棚材に挿入され、前記棚材における所定位置まで挿入されたときに挿入完了感（クリック感）を生じさせる挿入完了感起生部とを有することによって、棚材が棚材固定具に正確に取り付けられたことを取付作業に不慣れなユーザーが確認（認識）しながら確実に取付作業を行うことができると共に、棚材のガタツキ及び棚材の脱落を防止でき、安心性、取付性、及び安全性に優れたものである。
【００２２】
前記棚材固定具の形状、大きさ、材質、数、構造などについては特に制限はなく、目的に応じて適宜選択することができる。
前記棚材固定具の形状としては、取り付ける棚材の大きさ及び形状などに応じて適宜選択することができ、例えば、平板状、矩形状、長方形状、円形状、楕円形状などが挙げられる。
前記棚材固定具の大きさとしては、取り付ける棚材の大きさ及び形状などに応じて適宜選択することができるが、棚材を棚材固定具に取り付けた時に、棚材によって棚材固定具全体が隠れる程度の大きさであることが、美観の点から好ましい。
【００２３】
前記棚材固定具の材質としては、特に制限はなく、目的に応じて適宜選択することができるが、樹脂が好ましい。前記棚材固定具の材質が樹脂であると、複雑な形状の当接部及び挿入完了感起生部であっても容易に成形することができ、成形用金型を用いて大量生産が可能となる。また、樹脂は金属や木材に比べて可撓性に優れているので、棚材に棚材固定具の挿入完了感起生部を挿入し、棚材における所定位置まで挿入されたときに可撓性を有する挿入完了感起生部が撓むことによって、挿入完了感（クリック感）を生じさせることができる。
前記樹脂としては、特に制限はなく、目的に応じて適宜選択することができ、例えば、耐衝撃性ポリスチレン（ＨＩＰＳ）樹脂、ポリカーボネート樹脂、ポリ塩化ビニル樹脂、ポリエチレン樹脂、ポリプロピレン樹脂、アクリロニトリル−ブタジエン−スチレン共重合体（ＡＢＳ）樹脂などが挙げられる。これらの中でも、寸法安定性、強度、及び可撓性の点から、耐衝撃性ポリスチレン（ＨＩＰＳ）樹脂が好ましい。
【００２４】
前記棚材固定具の数としては、取り付ける棚材の大きさ及び形状に応じて適宜選択することができるが、１つの棚材を１つの棚材固定具で取り付けてもよく、１つの棚材を２つ以上の棚材固定具を用いて取り付けてもよい。
例えば、長押し棚材、３連ハンガー付き棚材、長さ方向が長い略Ｌ字状棚材や板状棚材、大型のボックス状棚材、及び複数のマスを有する棚材の場合には、棚材固定具を２つ以上使用して取り付けたり、Ｌ字形状の棚材の受け部を用いて取り付けることができる。
【００２５】
＜当接部＞
前記当接部は、前記棚材を固定する面に当接される部材である。
前記棚材を固定する面としては、特に制限はなく、目的に応じて適宜選択することができ、例えば、壁面、角壁面、床、天井、柱、梁、ドアなどが挙げられる。これらの中でも、壁面、角壁面が特に好ましい。前記壁面及び角壁面としては、例えば、浴室、洗面所、廊下、玄関、押入、納戸、勉強部屋、応接室、寝室、台所等の室内、外壁等の室外のいずれであっても構わない。
前記棚材を固定する面の材質としては、特に制限はなく、目的に応じて適宜選択することができ、例えば、板ボード、石膏ボード、コンクリート壁、タイル壁などが挙げられる。
【００２６】
前記当接部の形状、大きさ、材質、構造などについては特に制限はなく、目的に応じて適宜選択することができる。
前記当接部の形状及び大きさとしては、前記棚材固定具の形状及び大きさと同様である。
前記当接部の材質としては、特に制限はなく、棚材固定具の材質と同様の樹脂を用いることができる。
前記当接部の構造としては、特に制限はなく、目的に応じて適宜選択することができ、単層構造が好ましく、複数層構造であってもよい。
【００２７】
前記当接部は、固定部材により貫通されて前記棚材を固定する面に棚材を固定するための貫通孔を有する。
前記固定部材は、棚材を固定する面に前記棚材固定具を固定するための部材であり、例えば、ピン、ネジ、ビス、釘、画鋲、プッシュピンなどが挙げられる。これらの中でも、取付作業性の点から、ピン、ネジが好ましい。固定部材としてピンを用いると容易に取付が可能であり、壁に傷が付きにくい点からも好ましい。
前記固定部材がピンであり、隣接して設けられた複数の貫通孔に前記ピンが互いに交差するように刺し込むことによって、棚材を固定する面に棚材固定具を強固に固定することができる。
【００２８】
＜挿入完了感起生部＞
前記挿入完了感起生部は、前記当接部から延出して形成されてなり、前記棚材を固定する際に前記棚材に挿入され、前記棚材における所定位置まで挿入されたときに挿入完了感を生じさせる。
前記棚材における所定の位置とは、棚材が棚材固定具に正確に取り付けられた位置を意味し、挿入完了感起生部と棚材が確実に係合し、挿入完了感が生じる位置である。
【００２９】
前記挿入完了感起生部の大きさ、形状、大きさ、数、材質、構造などについては特に制限はなく、目的に応じて適宜選択することができる。
前記挿入完了感起生部の大きさとしては、取り付ける棚材の大きさ及び形状などに応じて適宜選択することができる。
前記挿入完了感起生部の形状としては、例えば、スティック状、棒状、平板状などが挙げられる。
前記挿入完了感起生部の数としては、例えば、１つであることが好ましいが、２つ以上の複数であっても構わない。なお、当接部から延出した２つの支持部を有し、該２つの支持部の間に前記挿入完了感起生部を有することが、取付安定性の点から好ましい。
前記挿入完了感起生部の材質としては、前記棚材固定具の当接部と同じ樹脂製である。前記挿入完了感起生部の材質が樹脂であることによって、挿入完了感起生部が可撓性を有するので、挿入完了感起生部が棚材に挿入され、前記棚材の所定位置まで挿入されたときに挿入完了感を生じさせることができる。
挿入完了感起生部の構造としては、特に制限はなく、目的に応じて適宜選択することができ、単層構造が好ましく、複数層構造であってもよい。
【００３０】
前記挿入完了感起生部が生じさせる挿入完了感がクリック感であることが好ましい。ユーザーがクリック感を検出することによって挿入作業の完了を確実に認識することができる。
ここで、「クリック感」とは、例えば、ボタンを押す（ボタン式のスィッチを入れる）などの作業において、「作業中の力（反力）の急激な減少」を伴う感覚を意味し、ユーザーがクリック感を検出することによって作業の状態や完了を認識することができる。具体的には、挿入完了感起生部を棚材に挿入し、棚材における所定位置まで挿入したとき、「カチッ」とユーザーの掌に感触が伝わったときに挿入が完了（棚材を正確な位置に取付完了）したことを認識することができる。
また、挿入完了感起生部と棚材とが係合することによって、棚材のガタツキや脱落を防止する機能を果たすため、挿入完了感起生部には補強リブが形成されており、挿入完了感起生部の強度を向上させることができる。
【００３１】
−係合部−
前記挿入完了感起生部が、前記当接部側とは反対側の先端部に、前記棚材と係合可能な係合部を有することが好ましい。
前記係合部としては、前記棚材と係合可能できれば特に制限はなく、目的に応じて適宜選択することができ、例えば、凸部、凸条、凹部、凹溝、又はこれらの組み合わせなどが挙げられる。前記凸部及び凹部は間隔をあけて複数個設けることができる。
前記凸部及び凸条の断面形状としては、例えば、断面半円形状、断面楕円形状、断面三角形状、断面台形状、断面矩形状などが挙げられる。
前記凹部及び凹溝の断面形状としては、例えば、断面半円形状、断面楕円形状、断面三角形状、断面台形状、断面矩形状などが挙げられる。
前記係合部と係合可能な棚材としては、前記挿入完了感起生部が挿入され、前記棚材における所定位置まで挿入されたときに挿入完了感を生じさせることができれば特に制限はなく、目的に応じて適宜選択することができるが、受け部を有することが好ましい。
【００３２】
−棚材の受け部−
棚材の受け部は、棚材の該棚材を固定する面に設けられており、棚材固定具の挿入完了感起生部が挿入される。
前記受け部は、棚材と一体であってもよく別体であってもよい。前記受け部が別体である場合には、棚材の取付用凹部にネジ等の固定部材を用いて取り付けられる。
前記受け部の形状、大きさ、材質、構造などについては特に制限はなく、目的に応じて適宜選択することができる。
前記受け部の形状及び大きさについては、棚材や棚材固定具の形状及び大きさなどに応じて適宜選択することができ、棚材固定具の挿入完了感起生部が挿入可能な形状及び大きさに形成される。なお、長さ方向が長い略Ｌ字状棚材や板状棚材、大型のボックス状棚材、及び複数のマスを有する棚材などの大型の棚材を取り付ける場合には、Ｌ字形状の受け部を用いることができる。
前記受け部の材質としては、特に制限はなく、目的に応じて適宜選択することができ、例えば、木材；鉄、アルミニウム、ステンレススチール等の金属材料；耐衝撃性ポリスチレン（ＨＩＰＳ）樹脂、ポリカーボネート樹脂、ポリ塩化ビニル樹脂、ポリエチレン樹脂、ポリプロピレン樹脂、アクリロニトリル−ブタジエン−スチレン共重合体（ＡＢＳ）樹脂等の合成樹脂などが挙げられる。
【００３３】
前記棚材の受け部には、挿入完了感起生部の係合部と係合可能な受け用係合部を有することが好ましい。
前記受け用係合部としては、棚材固定具の挿入完了感起生部の係合部と係合可能であれば特に制限はなく、目的に応じて適宜選択することができ、例えば、受け用凸部、受け用凸条、受け用凹部、受け用凹溝、又はこれらの組み合わせなどが挙げられる。前記凸部及び凹部は間隔をあけて複数個設けることができる。
前記凸部及び凸条の断面形状としては、例えば、断面半円形状、断面楕円形状、断面三角形状、断面台形状、断面矩形状などが挙げられる。
前記凹部及び凹溝の断面形状としては、例えば、断面半円形状、断面楕円形状、断面三角形状、断面台形状、断面矩形状などが挙げられる。
これらの中でも、挿入完了感（クリック感）を生じさせると共に、棚材のガタツキ防止効果や脱落防止効果の点から、係合部の凸部と受け用凸部の組み合わせ、係合部の凸条と受け用凸条の組み合わせが好ましい。
係合部の凸部と受け用凸部の組み合わせにおいては、係合部の凸部の断面形状が三角形状であるものと、受け用凸部の断面形状が半円形状であるものとの組み合わせ、又はこれらの逆の組み合わせが好ましい。
係合部の凸条と受け用凸条の組み合わせにおいては、係合部の凸条の断面形状が三角形状であるものと、受け用凸条の断面形状が半円形状であるものとの組み合わせ、又はこれらの逆の組み合わせが好ましい。
【００３４】
前記棚材を棚材固定具に取り付ける際には、前記棚材の受け部に棚材固定具の挿入完了感起生部を挿入すると、挿入完了感起生部における係合部と、棚材の受け部における受け用係合部とが係合し、挿入完了感起生部における係合部が受け用係合部を乗り越えるときに、「カチッ」という音と共に、挿入完了感（クリック感）が生じるため、棚材が棚材固定具に確実に取り付けられたことをユーザーが認識（確認）することができる。更に、棚材と棚材固定具とが確実に係合することによって、棚材の脱落を防止することができる。
なお、本発明においては、棚材を棚材固定具に取り付けた際に、挿入完了感（クリック感）が得られない場合には、棚材が正しい位置に取り付けられていない可能性が高いので、棚材のガタツキや使用中に棚材が生じるおそれがあるため、棚材を取り付け直すことが必要となる。
【００３５】
＜棚材＞
前記棚材は、前記棚材固定具の挿入完了感起生部が挿入することができれば特に制限はなく、目的に応じて適宜選択することができるが、取付用凹部と、受け部とを有することが好ましく、更に必要に応じてその他の部を有する。
【００３６】
＜取付用凹部＞
前記取付用凹部は、棚材の棚材固定具に取り付けられる側に設けられ、その内部に受け部を有しており、棚材固定具全体が収容できる大きさ及び形状を有することが、棚材が壁に固定された時に、棚材固定具を外部から隠すことができる点から好ましい。
前記取付用凹部は、棚材と一体に形成されることが好ましい。
【００３７】
＜受け部＞
前記受け部としては、上記棚材固定具において説明したとおりである。
【００３８】
前記棚材としては、例えば、板状棚材、略Ｌ字状棚材、コーナー棚材、ボックス状棚材、フレーム状棚材、ポケット付き棚材、フック付き棚材、トレイ付き棚材、鏡付き棚材などが挙げられる。なお、長押し棚材、長さ方向に長い略Ｌ字状棚材、複数のマスを有する棚材、３連ハンガー付き棚材なども挙げられる。
【００３９】
前記棚材の材質としては、特に制限はなく、目的に応じて公知のものの中から適宜選択することができ、例えば、ポリカーボネート樹脂、ポリ塩化ビニル樹脂、ポリプロピレン樹脂、アクリロニトリル−ブタジエン−スチレン共重合体（ＡＢＳ）樹脂、耐衝撃性ポリスチレン（ＨＩＰＳ）樹脂等の合成樹脂；鉄、アルミニウム、ステンレススチール等の金属；合板、単板、集成材等の木材などが好適に挙げられる。
【００４０】
前記棚材の製造方法としては、特に制限はなく、目的に応じて公知の方法の中から適宜選択することができ、例えば、棚材が合成樹脂製である場合には、成形用金型を用いた射出成形法などにより効率よく製造することができる。
【００４１】
なお、前記棚材には、特に制限はなく、目的に応じて適宜選択することができるが、例えば、棚材の表面に着色、模様、凹凸形状などを施したり、棚材を湾曲させて、デザイン性、外観性、及び意匠性を更に発揮させることができる。また、前記棚材に対し、撥水加工、抗菌加工、防虫加工、消臭加工、芳香加工等の各種加工を施し、抗菌、防虫、脱臭、消臭、吸湿、芳香などの作用を付与することが好適である。
【００４２】
前記撥水加工、抗菌加工、防虫加工、消臭加工、及び芳香加工としては、特に制限はなく、目的に応じて公知の方法の中から適宜選択することができ、例えば、撥水剤、抗菌剤、抗カビ剤、防虫剤、消臭剤又は芳香剤を含有させた塗布液を塗布する方法、撥水剤、抗菌剤、防虫剤、消臭剤又は芳香剤を棚材成形用樹脂に練り込む方法、などが挙げられる。
具体的には、シナモン、クローブ、オレガノ、タイム、セージ、バジル、ローズマリー、ラベンダー、又はこれらハーブを組み合わせて適宜な量とし、細かく粉砕したもの（ハーブの微粉砕物）、又はハーブから抽出した精油を棚材成形用樹脂に含有させて、該樹脂を用いて棚材を成形することができる。また、ハーブの微粉砕物やハーブの精油を含有させた塗布液を棚材表面に塗布することができる。また、備長炭などの木炭や活性炭、ゼオライトなどの素材を棚材に含有又は付着させると、優れた脱臭作用を付与することができる。また、抗菌剤や抗カビ剤を含有又は付着させた棚材は、浴室、洗面所、台所などの水回りに用いるのに好適である。
【００４３】
（棚材固定セット）
本発明の棚材固定セットは、棚材固定具と、固定部材と、脱着工具と、取扱説明書と、を有し、更に必要に応じて、棚材の受け部とその固定部材を有していてもよい。これらは、ブリスターパックによって一緒に梱包されることが好ましい。
棚材固定セットによれば、棚材を固定するのに必要な部品、工具、取扱説明書が一つにまとめられているので、取付作業に不慣れなユーザーにとって、取付性及び利便性が大幅に向上する。
【００４４】
＜棚材固定具＞
前記棚材固定具としては、上述した本発明の棚材固定具が用いられる。
【００４５】
＜固定部材＞
前記固定部材としては、上述した本発明の棚材固定具における固定部材が用いられる。これらの中でも、ピン、ネジが好ましい。
【００４６】
＜脱着工具＞
前記脱着工具は、固定部材を脱着する際に使用する工具であって、固定部材に応じて適宜選択することができるが、固定部材がピンの場合には、一端にピン刺し部と、他端にピン抜き部とを有する脱着工具が用いられる。
【００４７】
＜取扱説明書＞
取扱説明書は、棚材固定セットの取り扱い方法を示す説明書である。
前記取扱説明書は、取付用ガイドシートを含んでいる。
取付用ガイドシートを有することによって、棚材及び棚材固定具を固定する際の位置決めが容易となり、ユーザーの取扱性及び利便性が向上する。
取付用ガイドシートの使用方法としては、例えば、取付用ガイドシートの四隅を壁面に画鋲やテープなどで固定することにより、棚材固定具と棚材との位置決めができる。
【００４８】
（棚）
本発明の棚は、本発明の棚材固定具、又は本発明の棚材固定セットを用いることによって、棚材が棚材を固定する面に固定されてなる。
本発明の棚は、壁等の棚材を固定する面に一体的に取り付けることができる安定性、密着性、脱落防止性、外観性、デザイン性及び意匠性に優れ、例えば、板状棚材、略Ｌ字状棚材、コーナー棚材、ボックス状棚材、フレーム状棚材、ポケット付き棚材、フック付き棚材、トレイ付き棚材、鏡付き棚材などに好適に用いられる。
【００４９】
ここで、本発明の棚材固定具、及び本発明の棚材固定セットの実施形態について、図面を参照して詳細に説明する。
なお、各図面において、同一構成部分には同一符号を付し、重複した説明を省略する場合がある。また、下記構成部材の数、位置、形状等は本実施の形態に限定されず、本発明を実施する上で好ましい数、位置、形状等にすることができる。
【００５０】
＜第１の実施形態＞
図１Ａ〜図１Ｆは、第１の実施形態の棚材固定具の一例を示す正面図、背面図、平面図、底面図、左側面図、及び右側面図である。この第１の実施形態の棚材固定具１０は、当接部１と、挿入完了感起生部２とを有している。なお、当接部１から延出した２つの支持部３,３を有し、該２つの支持部の間に前記挿入完了感起生部２を有することが、取付安定性の点から好ましい。
棚材固定具１０は平板状であり、その材質としては、寸法安定性、強度及び可撓性の点から、耐衝撃性ポリスチレン樹脂が用いられている。
【００５１】
当接部１は、固定部材により貫通されて棚材を固定する面に棚材を固定するための貫通孔を有する。固定部材としては、ピン、ネジなどが用いられる。
棚材を固定する面としては、例えば、壁面などが挙げられる。壁面の材質としては、例えば、板ボード、石膏ボード、コンクリート壁などが挙げられる。
貫通孔としては、ピン貫通孔４ａ，４ｂと、ピン貫通孔５と、ネジ貫通孔６ａ，６ｂとがある。
【００５２】
ピン貫通孔４ａ，４ｂは、当接部１は幅方向中央より上部の左右位置に２つずつ、合計４つ設けられている。左側のピン貫通孔４ａ又は右側のピン貫通孔４ｂの隣接する２つのピン貫通孔４はピンが互いに交差するように刺し込むことができる。このように、２つのピンを互いに交差するようにピン貫通孔に刺し込むことによって、棚材を固定する面に当接部１を強固に固定することができる。
ピン貫通孔５は、当接部１の幅方向中央下部に１つ設けられている。ピン貫通孔５にピンを刺し込むことによって、当接部１の不要な回転を防止することができる。
以上により、ピンによる当接部の固定は完了する。
【００５３】
ネジ貫通孔６ａ，６ｂは、当接部１の幅方向中央の左右位置に１つずつ設けられている。ピン貫通孔４ａ，４ｂ,５を用いて当接部を固定する場合には、ネジ貫通孔６ａ，６ｂは用いられない。ネジ貫通孔６ａ，６ｂは棚材を固定する面がコンクリート壁等のピンを刺し込むことができない材質の場合に用いられるので、ネジ貫通孔６ａ，６ｂが使用される場合には、ピン貫通孔４ａ，４ｂ，５は使用されない。
【００５４】
挿入完了感起生部２は、当接部１から延出し、棚材に挿入される。挿入完了感起生部２は、可撓性を有している。また、挿入完了感起生部２の強度を上げるため、補強リブ７が設けられている。
挿入完了感起生部２は、当接部１から上方に延出し、棚材に挿入される。挿入完了感起生部２の先端部には、係合部８が設けられている。
挿入完了感起生部２の係合部８は、図５Ｃ及び図６Ａに示すように、挿入完了感起生部２の先端部において、断面半円形状の凸条（ドーム状）に形成されている。
受け部２１の受け用係合部２３は、図５Ｄ及び図６Ａに示すように、棚材の受け部２１の挿入穴２５において、断面三角形状の凸部に形成されている。
【００５５】
図６Ａ及び図６Ｂに示すように、挿入完了感起生部２が棚材の受け部２１に挿入され、棚材における所定位置まで挿入されると、可撓性を有する挿入完了感起生部２の係合部８と受け部２１の受け用係合部２３とが係合することによって、挿入完了感（クリック感）が生じるので、ユーザーは安心して取付作業をスムーズに行うことができる。
【００５６】
具体的には、図４に示すように、トレイ付き棚材２０を棚材固定具１０に取り付ける際には、トレイ付き棚材２０の受け部２１に棚材固定具１０の挿入完了感起生部２を挿入する。すると、図６Ａ及び図６Ｂに示すように、挿入完了感起生部２における係合部８である凸部と、受け部２１における受け用係合部２３である受け用凸部とが係合し、挿入完了感起生部２が弾性変形して係合部８である凸部が受け用凸部を乗り越えるときに、「カチッ」という音と共に、挿入完了感（クリック感）が生じることによって、トレイ付き棚材２０が棚材固定具１０に確実に取り付けられたことをユーザーが明確に認識することができる。
【００５７】
ここで、石膏ボードの壁にピンを用いて、棚材固定具を取り付ける方法について説明する。
まず、図３Ａに示すように、ピン貫通孔５にピン９を刺し込む。次に、図３Ｂに示すように、ピン貫通孔４ａにピン９を刺し込む。次に、図３Ｃに示すように、ピン貫通孔４ａにピン９を刺し込む。図３Ｂと図３Ｃにより、隣接するピン９は交差するように刺し込まれている。
以上により、図３Ｄに示すように、合計５箇所にピン９を刺し込むことによって、棚材固定具１０が壁に強固に固定される。
【００５８】
ここで、棚材の具体例について図面を用いて説明する。
図７Ａは、トレイ付き棚材２０の一例を示す斜視図である。図７Ｂは、棚材固定具を取り付ける側から見たトレイ付き棚材２０の一例を示す斜視図である。なお、図７Ｂ中２１は受け部、２２は棚材固定具が取り付けられる取付用凹部である。
図７Ａ及び図７Ｂに示すトレイ付き棚材２０は、壁面に取り付けることによって形成されるトレイ内に様々な小物を配置することができ、利便性が高いものである。
【００５９】
図８Ａは、フック付き棚材３０の一例を示す斜視図である。図８Ｂは、棚材固定具を取り付ける側から見たフック付き棚材３０の一例を示す斜視図である。なお、図８Ｂ中３１は受け部、３２は棚材固定具が取り付けられる取付用凹部である。
図８Ａ及び図８Ｂに示すフック付き棚材３０は、壁面に取り付けることによって形成されるフックに様々な物品を掛けることができ、利便性が高いものである。
なお、複数個のフックを設けることによって、更に利便性を向上させることができる。
【００６０】
図９Ａは、略Ｌ字状棚材４０の一例を示す斜視図である。図９Ｂは、棚材固定具を取り付ける側から見た略Ｌ字状棚材４０の一例を示す斜視図である。なお、図９Ｂ中４１は受け部、４２は棚材固定具が取り付けられる取付用凹部である。
図９Ａ及び図９Ｂに示す略Ｌ字状棚材４０は、種々の角度で壁面に取り付けることができ、意匠性、デザイン性にも優れたものである。例えば、略Ｌ字状棚材の角度を変えてＶ字状にして壁面に取付けると形成されたＶ字部分により、本、雑誌などを容易に収納することができ、意匠性、及びデザイン性にも優れたものである。
【００６１】
図１０Ａは、ポケット付き棚材５０の一例を示す斜視図である。図１０Ｂは、棚材固定具を取り付ける側から見たポケット付き棚材５０の一例を示す斜視図である。なお、図１０Ｂ中５１は受け部、５２は棚材固定具が取り付けられる取付用凹部である。
図１０Ａ及び図１０Ｂに示すポケット付き棚材５０は、壁面に取り付けることによって形成されるポケット状の空間に様々な物品を収納することができ、収納性、利便性が高いものである。また、ポケット付き棚材を種々の角度に傾けて壁面に取り付けることによって、ブックエンドなしでも本、雑誌などを収納できる。また、横長のポケット付き棚材や比較的大型のポケット付き棚材は収納性が高いものである。なお、ポケット付き棚材には、前面開口部に、必要に応じて扉を設けることもできる。
【００６２】
図１１Ａは、長さ方向に長い略Ｌ字状棚材６０の一例を示す斜視図である。図１１Ｂは、棚材固定具を取り付ける側から見た長さ方向に長い略Ｌ字状棚材６０の一例を示す斜視図である。なお、図１１Ｂ中６１は受け部、６２は棚材固定具が取り付けられる取付用凹部である。この図１１Ｂでは２つの棚材固定具により壁面に固定される。
図１１Ａ及び図１１Ｂに示す長さ方向に長い略Ｌ字状棚材６０は、種々の角度で壁面に取り付けることができ、意匠性、デザイン性にも優れたものである。例えば、略Ｌ字状棚材の角度を変えてＶ字状にして壁面に取付けると形成されたＶ字部分により、本、雑誌などを容易に収納することができ、意匠性、及びデザイン性にも優れたものである。
【００６３】
図１２Ａは、２つのマスを有する大型の棚材７０の一例を示す斜視図である。図１２Ｂは、棚材固定具を取り付ける側から見た２つのマスを有する大型の棚材７０の一例を示す斜視図である。なお、図１２Ｂ中７１はＬ字形状の受け部である。Ｌ字形状の受け部７１の配置を変えることにより、本発明の棚材固定具を用いて容易かつ確実に取り付けることができる。
図１２Ａ及び図１２Ｂに示す２つのマスを有する大型の棚材７０のような大型の棚材であっても、Ｌ字形状の受け部７１を用いることによって安定に固定することができる。図１２Ａ及び図１２Ｂの大型の棚材は２つのマスを有しているので、収納性に優れると共に、意匠性、及びデザイン性にも優れたものである。
【００６４】
図１３Ａは、コーナー棚材８０の一例を示す斜視図である。図１３Ｂは、棚材固定具を取り付ける側から見たコーナー棚材８０の一例を示す斜視図である。なお、図１３Ｂ中８１は受け部、８２は棚材固定具が取り付けられる取付用凹部である。この図１３Ｂでは２つの棚材固定具により角壁面に固定される。
図１３Ａ及び図１３Ｂに示すコーナー棚材８０は、例えば、部屋、浴室などの角壁面に取り付けて角部の有効利用が図れると共に、意匠性、及びデザイン性にも優れたものである。
【００６５】
＜第１の実施形態の変形例１＞
図１４は、第１の実施形態の変形例１の棚材と棚材固定具とが係合する状態の一例を示す部分拡大概略図である。なお、第１の実施形態の変形例１において、既に説明した第１の実施の形態と同一の構成については、同じ参照符号を付してその説明を省略する。
【００６６】
図１４に示す第１の実施形態の変形例１では、図６Ａ及び図６Ｂに示す第１の実施形態において、挿入完了感起生部２の係合部である断面半円形状の凸条８を、断面三角形状の凸条８’とし、受け部２１の受け用係合部２３である断面三角形状の凸条を断面半円形状の凸条２３’とした以外は、第１の実施形態と同様である。
第１の実施形態の変形例１においては、図１４に示すように、係合部を断面三角形状の凸条８’及び受け用係合部を断面半円形状の凸条２３’としたことにより、第１の実施形態と同様に、クリック感が生じることによって棚材が棚材固定具に正確に取り付けられたことをユーザーが確認（認識）できると共に、棚材のガタツキや棚材の脱落を防止する効果が得られる。
【００６７】
＜第１の実施形態の変形例２＞
図１５は、第１の実施形態の変形例１の棚材と棚材固定具とが係合する状態の一例を示す部分拡大概略図である。なお、第１の実施形態の変形例２において、既に説明した第１の実施の形態と同一の構成については、同じ参照符号を付してその説明を省略する。
【００６８】
図１５に示す第１の実施形態の変形例２では、図６Ａ及び図６Ｂに示す第１の実施形態において、挿入完了感起生部２の係合部である断面半円形状の凸条８を断面略半円形状の凸条８”とし、受け部２１の受け用係合部２３である断面三角形状の凸条を断面半円形状の凹溝２３”とした以外は、第１の実施形態と同様である。
第１の実施形態の変形例２においては、図１５に示すように、係合部を断面略半円形状の凸条８”及び受け用係合部を断面半円形状の凹溝２３”としたことにより、第１の実施形態と同様に、クリック感が生じることによって棚材が棚材固定具に正確に取り付けられたことをユーザーが確認（認識）できると共に、棚材のガタツキや棚材の脱落を防止する効果が得られる。
【００６９】
＜第１の実施形態の変形例３＞
図１６は、第１の実施形態の変形例３の棚材固定具１０Ａの一例を示す斜視図である。なお、第１の実施形態の変形例３において、既に説明した第１の実施の形態と同一の構成については、同じ参照符号を付してその説明を省略する。
【００７０】
図１６に示す第１の実施形態の変形例３の棚材固定具１０Ａは、図２Ａ〜図２Ｆに示す第１の実施形態の棚材固定具１０において、挿入完了感起生部２を幅広形状の挿入完了感起生部２Ａとした以外は、第１の実施形態の棚材固定具１０と同様である。
第１の実施形態の変形例３においては、幅広形状の挿入完了感起生部２Ａとしたことによって、挿入完了感起生部の強度が向上するため、クリック感が生じることによって棚材が棚材固定具に正確に取り付けられたことをユーザーが確認（認識）できると共に、棚材のガタツキや棚材の脱落を防止する効果が得られる。
【００７１】
＜第１の実施形態の変形例４＞
図１７は、第１の実施形態の変形例４の棚材固定具１０Ｂの一例を示す斜視図である。なお、第１の実施形態の変形例４において、既に説明した第１の実施の形態と同一の構成については、同じ参照符号を付してその説明を省略する。
【００７２】
図１７に示す変形例４の棚材固定具１０Ｂは、図２Ａ〜図２Ｆに示す第１の実施形態の棚材固定具１０において、挿入完了感起生部を当接部と同じ幅の挿入完了感起生部２Ｂとした以外は、第１の実施形態の棚材固定具と同様である。
変形例４では、当接部と同じ幅の挿入完了感起生部２Ｂとしたことにより、挿入完了感起生部の強度が大幅に向上するため、大型の棚材であっても取り付けることが可能となり、クリック感が生じることによって棚材が棚材固定具に正確に取り付けられたことをユーザーが確認（認識）できると共に、棚材のガタツキや棚材の脱落を防止する効果が得られる。
【００７３】
＜第２の実施形態＞
図１８Ａは、第２の実施形態に係る棚材固定セット９０の一例を示す正面図である。図１８Ｂは、第２の実施形態に係る棚材固定セット９０の一例を示す斜視図である。
【００７４】
図１８Ａ及び図１８Ｂに示す第２の実施形態に係る棚材固定セット９０は、棚材固定具１０と、固定部材９と、脱着工具１２とを有し、これらがブリスターパックによって一緒に梱包されている。なお、棚材固定セットは、棚材の受け部とその固定部材を有していてもよい。
棚材固定具１０としては、本発明の棚材固定具が用いられる。
固定部材９としては、棚材を固定する面が石膏ボードの場合にはピンが用いられる。ピンとしては、図１９に示すように、頭部９ａを有するものが用いられる。なお、棚材を固定する面がコンクリート壁の場合には固定部材としてはネジが用いられる。
【００７５】
脱着工具１２は、固定部材を脱着する際に使用する工具であって、固定部材に応じて適宜選択することができるが、棚材を固定する面（壁面）が石膏ボードであり、固定部材がピン９の場合には、図１７に示すように、一端に刺し部１２ｂと、他端に抜き部１２ａとを有する脱着工具１２が用いられる。
【００７６】
脱着工具を用いたピンの脱着方法は以下のとおりである。
ピンを刺す場合には、図２１に示すように、ピン９をピン貫通孔４ａ,４ｂ、５に少し刺して角度を確認してから、脱着工具１２の刺し部１２ｂをピンの頭部９ａに合わせて押し込むことにより、ピンをピン貫通孔に刺し込むことができる。
ピンを抜く場合には、図２２Ａに示すように、ピン９の頭部９ａの下の細くなっているところを脱着工具１２の抜き部１２ａで挟みこむ。次に、図２２Ｂに示すように、脱着工具１２を一度傾け、ピン９を少し持ち上げる。次に、図２２Ｃに示すように、図２２Ｂで傾けた脱着工具の向きを戻し、脱着工具１２と一緒にピンを引き抜くことによって、ピンを抜くことができる。
【００７７】
取扱説明書は、棚材固定セットの取り扱い方法を示す説明書である。
前記取扱説明書は、図２３に示すように、下部に取付用ガイドシートを含んでいる。
取付用ガイドシートを有することによって、棚材及び棚材固定具を固定する際の位置決めを容易に行え、取付作業に不慣れなユーザーの取付性及び利便性が向上する。
【００７８】
ここで、図２３に示す、棚材固定セットにおける取付用ガイドシートを用いた棚材及び棚材固定具の取付方法について説明する。
まず、図２３に示す取扱説明書の四隅を、棚材を固定する面（壁面）に画鋲やテープなどで固定する。
次に、取扱説明書の下部に記載されている取付用ガイドシートの棚材固定具の取付位置に棚材固定具を合わせ、固定部材を用いて棚材固定具を壁面に取り付ける。
次に、取付用ガイドシートの棚材合わせ位置に棚材を合わせて壁面に押し当てる。
次に、棚材をそのまま下にずらし、棚材の天板の目安位置まで棚材の天面を押す。すると、棚材と棚材固定具が正しく取り付けられると、「カチッ」と音がして（クリック感が生じて）、棚材及び棚材固定具の取付作業が完了する。
【００７９】
以上、本発明の棚材固定具、棚材固定セット及び棚の一実施形態について詳細に説明したが、本発明は、前記実施形態に限定されず、本発明の要旨を逸脱しない範囲で種々変更しても差し支えない。
【符号の説明】
【００８０】
１      当接部
２      挿入完了感起生部
３      支持部
４ａ、４ｂ      ピン貫通孔
５      ピン貫通孔
６ａ、６ｂ      ネジ貫通孔
７      補強リブ
８      係合部
９      ピン
１０、１０Ａ、１０Ｂ      棚材固定具
１１      壁
１２      脱着工具
２０      トレイ付き棚材
２１      受け部
２２      取付用凹部
２３      受け用係合部
２４      挿入穴
３０      フック付き棚材
３１      受け部
３２      取付用凹部
４０      略Ｌ字状棚材
４１      受け部
４２      取付用凹部
５０      ポケット付き棚材
５１      受け部
５２      取付用凹部
６０      長さ方向に長い略Ｌ字状棚材
６１      受け部
６２      取付用凹部
７０      ２つのマスを有する大型の棚材
７１      Ｌ字形状の受け部
８０      コーナー棚材
８１      受け部
８２      取付用凹部
９０      棚材固定セット
【要約】      （修正有）【課題】棚材が棚材固定具に正確に取り付けられたことをユーザーが確認しながら取付作業を行うことができると共に、棚材のガタツキ及び棚材の脱落を防止でき、安心性、取付性、及び安全性に優れた棚材固定具、棚材固定セット、及び棚の提供。【解決手段】棚材２０を固定するための棚材固定具であって、前記棚材を固定する面に当接される当接部１と、前記当接部から延出して形成されてなり、前記棚材を固定する際に前記棚材に挿入され、前記棚材における所定位置まで挿入されたときに挿入完了感を生じさせる挿入完了感起生部２と、を有する棚材固定具である。【選択図】図６Ｂ【図１Ａ】
0006807479.tif 000002
【図１Ｂ】
0006807479.tif 000003
【図２Ａ】
0006807479.tif 000004
【図２Ｂ】
0006807479.tif 000005
【図２Ｃ】
0006807479.tif 000006
【図２Ｄ】
0006807479.tif 000007
【図２Ｅ】
0006807479.tif 000008
【図２Ｆ】
0006807479.tif 000009
【図３Ａ】
0006807479.tif 000010
【図３Ｂ】
0006807479.tif 000011
【図３Ｃ】
0006807479.tif 000012
【図３Ｄ】
0006807479.tif 000013
【図４】
0006807479.tif 000014
【図５Ａ】
0006807479.tif 000015
【図５Ｂ】
0006807479.tif 000016
【図５Ｃ】
0006807479.tif 000017
【図５Ｄ】
0006807479.tif 000018
【図６Ａ】
0006807479.tif 000019
【図６Ｂ】
0006807479.tif 000020
【図７Ａ】
0006807479.tif 000021
【図７Ｂ】
0006807479.tif 000022
【図８Ａ】
0006807479.tif 000023
【図８Ｂ】
0006807479.tif 000024
【図９Ａ】
0006807479.tif 000025
【図９Ｂ】
0006807479.tif 000026
【図１０Ａ】
0006807479.tif 000027
【図１０Ｂ】
0006807479.tif 000028
【図１１Ａ】
0006807479.tif 000029
【図１１Ｂ】
0006807479.tif 000030
【図１２Ａ】
0006807479.tif 000031
【図１２Ｂ】
0006807479.tif 000032
【図１３Ａ】
0006807479.tif 000033
【図１３Ｂ】
0006807479.tif 000034
【図１４】
0006807479.tif 000035
【図１５】
0006807479.tif 000036
【図１６】
0006807479.tif 000037
【図１７】
0006807479.tif 000038
【図１８Ａ】
0006807479.tif 000039
【図１８Ｂ】
0006807479.tif 000040
【図１９】
0006807479.tif 000041
【図２０】
0006807479.tif 000042
【図２１】
0006807479.tif 000043
【図２２Ａ】
0006807479.tif 000044
【図２２Ｂ】
0006807479.tif 000045
【図２２Ｃ】
0006807479.tif 000046
【図２３】
0006807479.tif 000047